(57)【要約】【課題】内部の通水を透視可能とした断熱性を有する着色管継手を提供すること及びこの着色管継手を用いた空調システムを提供すること。【解決手段】本管継手は、継手本体１０の外側から少なくとも胴部１３の外表面１３ａを覆うようにカバー部材２０が取り付けられ、胴部１３の外表面１３ａとカバー部材２０の内表面２０ａとの間に断熱用の密閉空気層２３が形成されている。継手本体１０は、少なくとも顔料を含有した着色半透明樹脂により形成されている。そして、継手本体１０及びカバー部材２０は、カバー部材２０により継手本体１０が覆われた部分を外側から見たときに、近くからは管継手の内部を透視可能な半透明の予め設定されている色に見え、遠くからは管継手の内部を透視することのできない不透明の予め設定されている色に見えるように形成されている。【選択図】  図１
2019052716.tif 000002
【特許請求の範囲】
【請求項１】
パイプ本体の外周に断熱層が形成された断熱配管（Ｐ）を接続するための管継手であって、
接続すべき前記断熱配管（Ｐ）の差口を挿入して接着する複数の受口、及び、複数の前記受口の間を接続する胴部（１３）を有する樹脂製の継手本体（１０）と、
前記継手本体（１０）の外側から少なくとも前記胴部（１３）の外表面（１３ａ）を覆うように取り付けられた樹脂製のカバー部材（２０）とを有し、
前記継手本体（１０）と前記カバー部材（２０）とは、前記継手本体（１０）の外表面のうちの少なくとも前記胴部（１３）の外表面（１３ａ）と前記カバー部材（２０）の内表面（２０ａ）との間に断熱用の密閉空気層（２３）を形成するように組み合わされ、
前記継手本体（１０）は、少なくとも顔料を含有した着色半透明樹脂により形成され、
前記継手本体（１０）及び前記カバー部材（２０）は、前記カバー部材（２０）により前記継手本体（１０）が覆われた部分を外側近くから見たときには、前記管継手の内部を透視可能な半透明の予め設定されている色に見え、前記カバー部材（２０）により前記継手本体（１０）が覆われた部分を外側遠くから見たときには、前記管継手の内部を透視することのできない不透明の予め設定されている色に見えるように形成されている
管継手。
【請求項２】
前記継手本体（１０）は、顔料を含有する着色半透明樹脂により形成され、
前記カバー部材（２０）は、染料を含有するスモーク色半透明樹脂により形成されている
請求項１記載の管継手。
【請求項３】
前記継手本体（１０）は、顔料及び染料のうちの少なくとも顔料を含有して予め設定されている色に着色された半透明樹脂により形成され、
前記カバー部材（２０）は、無色透明樹脂により形成されている
請求項１記載の管継手。
【請求項４】
前記継手本体（１０）及び前記カバー部材（２０）は、前記カバー部材（２０）により前記継手本体（１０）が覆われた部分を外側近くから見たときには、前記管継手の内部を透視可能な半透明のアイボリー色に見え、前記カバー部材（２０）により前記継手本体（１０）が覆われた部分を外側遠くから見たときには、前記管継手の内部を透視することのできない不透明のアイボリー色に見えるように形成されている
請求項１〜請求項３の何れか１項に記載の管継手。
【請求項５】
ドレン配管経路に使用する管継手として請求項１〜請求項４の何れか１項に記載の管継手を用いた
空調システム。
【発明の詳細な説明】
【技術分野】
【０００１】
本発明は、管継手及びこの管継手を用いた空調システムに関する。
【背景技術】
【０００２】
ドレン配管等に使用される断熱配管を接続する管継手は、一般にあまり目立たない色に着色されている。また、これら管継手は、受口に差し込まれた断熱配管の接着剤による接着状態を外部から見えるようにするために、透明または半透明の光透過性を有した樹脂により継手本体を形成したものが用いられている。また、最近の管継手としては、外表面に断熱材を巻き付ける必要のない、断熱性能を有する管継手が好まれている。このような管継手としては、特許文献１に記載のものがある。この従来の管継手は、透明または半透明の光透過性を有した樹脂により継手本体を形成し、継手本体の肉厚内部に発泡性樹脂からなる断熱層が形成されたものである。なお、この断熱層は、発泡性樹脂により形成されているので、内部の視認性を妨げるため、受口を除いた継手本体部分に形成されている。
【先行技術文献】
【特許文献】
【０００３】
【特許文献１】特開２０１１−１０６５９４号公報
【発明の概要】
【発明が解決しようとする課題】
【０００４】
ところで、従来の管継手は、断熱配管を接続された状態では内部を視認することができない。その理由は、受口には断熱材が被覆された断熱配管が挿入され、受口以外のところには発泡性樹脂からなる断熱層が形成されているためである。したがって、この管継手を使用して断熱配管を接続した場合、断熱配管経路の通水状態を確認するには、断熱配管経路の出口から水が流出するのを見るしかなく、不便であった。
【０００５】
本発明は、かかる従来技術における問題点に鑑みなされたものであり、内部の通水を透視可能とした断熱性を有する着色管継手を提供すること及びこの着色管継手を用いた空調システムを提供することを目的とする。
【課題を解決するための手段】
【０００６】
〔１〕上記課題を解決する管継手は、パイプ本体の外周に断熱層が形成された断熱配管を接続するための管継手であって、接続すべき前記断熱配管の差口を挿入して接着する複数の受口、及び、複数の前記受口の間を接続する胴部を有する樹脂製の継手本体と、前記継手本体の外側から少なくとも前記胴部の外表面を覆うように取り付けられた樹脂製のカバー部材とを有し、前記継手本体と前記カバー部材とは、前記継手本体の外表面のうちの少なくとも胴部の外表面と前記カバー部材の内表面との間に断熱用の密閉空気層を形成するように組み合わされ、前記継手本体は、少なくとも顔料を含有した着色半透明樹脂により形成され、前記継手本体及び前記カバー部材は、前記カバー部材により前記継手本体が覆われた部分を外側近くから見たときには、管継手の内部を透視可能な半透明の予め設定されている色に見え、前記カバー部材により前記継手本体が覆われた部分を外側遠くから見たときには、管継手の内部を透視することのできない不透明の予め設定されている色に見えるように形成されている。
【０００７】
ここで、本明細書における「透明」、「不透明」、「半透明」の用語は、次のように定義する。
「透明」とは、物体に入る可視光線のほぼ全域の光、もしくは一部の光が散乱せずに、かつ、物体に吸収されずに物体を透過して物体の向う側が見通せる状態のことをいう。また、「不透明」とは、物体に入る可視光線のほぼ全域の光が、物体内における光の散乱、光の吸収により全く透過せず、物体の向う側が全く透けて見えないことをいう。また、「半透明」とは、「透明」と「不透明」との中間に該当し、物体に入る可視光線のほぼ全域の光又は一部の光が散乱されるか、または物体に吸収されることにより、物体の向う側がはっきりとは見えず濁ってぼんやりと透けて見えることをいう。
【０００８】
このような構成の管継手によれば、遠くからは所定の色に見え、近くからは内部の通水を透視確認することができる。したがって、通水確認作業が容易な断熱性の着色管継手を提供することができる。
【０００９】
〔２〕上記管継手において、前記継手本体は、顔料を含有する着色半透明樹脂により形成され、前記カバー部材は、染料を含有するスモーク色半透明樹脂により形成されているようにしてもよい。ここで、本明細書における「スモーク色」とは、染料により着色された透明度の低い青みや茶のかかった色のことをいう。
【００１０】
このような構成の管継手によれば、着色された半透明樹脂製の継手本体を変更せずに、継手本体に被せるカバー部材の仕様を変更することにより、外側から見たときの色を変更することができる。例えば、天井裏に敷設される空調機のドレン配管経路に利用する場合、着色された半透明樹脂製の継手本体に対し、複数の異なる仕様のカバー部材を交互に試着させることにより、外側から見たときの色をドレン配管の色に一致させるように調整することができる。
【００１１】
〔３〕また、上記管継手において、前記継手本体は、顔料及び染料のうちの少なくとも顔料を含有して予め設定されている色に着色された半透明樹脂により形成され、前記カバー部材は、無色透明樹脂により形成されているようにしてもよい。
【００１２】
このような構成の管継手によれば、色調整は、継手本体のみ行えばよい。
〔４〕また、前記継手本体及び前記カバー部材は、前記カバー部材により前記継手本体が覆われた部分を外側近くから見たときには、前記管継手の内部を透視可能な半透明のアイボリー色に見え、前記カバー部材により前記継手本体が覆われた部分を外側遠くから見たときには、前記管継手の内部を透視することのできない不透明のアイボリー色に見えるように形成されているようにしてもよい。
【００１３】
このような構成の管継手によれば、天井裏に敷設される空調機のドレン配管経路に利用する場合に好ましい色の管継手とすることができる。
〔５〕また、本発明に係る空調システムは、ドレン配管経路に使用する管継手として上記管継手を用いたものである。
【００１４】
このような構成の空調システムによれば、所定色の断熱性の管継手をドレン配管に使用できるとともに、管継手内部の通水状態を視認可能とすることができる。したがって、施工工事完了時、或いは施工後の通水確認作業が容易になる。
【発明の効果】
【００１５】
本管継手によれば、管継手内部の通水状態を視認可能とした断熱性の着色管継手を提供することができる。また、本空調システムによれば、通水確認作業が容易になるとともに、所定色の断熱性の管継手を使用することができる。
【図面の簡単な説明】
【００１６】
【図１】実施の形態１に係る管継手としての異径チーズの断面図。
【図２】同異径チーズの分解斜視図。
【図３】同異径チーズを構成する樹脂の仕様説明表。
【図４】実施の形態３に係る空調システム図。
【図５】同空調システムに利用されているエルボの断面図。
【図６】同エルボの分解斜視図。
【図７】変形例に係る管継手としてのソケットの断面図。
【図８】同ソケットの分解斜視図。
【図９】他の変形例に係る管継手としてのソケットの断面図。
【図１０】同ソケットの分解斜視図。
【発明を実施するための形態】
【００１７】
以下、本発明の実施の形態に係る管継手について説明する。なお、本発明は、以下に記載する例示に限定されるものではなく、特許請求の範囲によって示され、特許請求の範囲と均等の意味および範囲内での全ての変更が含まれることが意図される。
【００１８】
（実施の形態１）
実施の形態１に係る管継手は、図１及び図２に示すように断熱性能を有する断熱配管Ｐ、例えば、空調システムのドレン配管の経路の途中でドレン配管同士を接続する異径チーズ１である。
【００１９】
図１及び図２に示すように、異径チーズ１は、継手本体１０の外側にカバー部材２０を取り付けたものであって、ポリ塩化ビニル系樹脂材料により形成されている。なお、本明細書において、異径チーズ１は、主受口１１を左右方向とし、分岐受口１２の突出する方向を上方とした図１において、図示される面を正面とする。また、異径チーズ１の説明において上下及び左右の方向をいうときは、前記正面を基準とした方向をいうものとする。
【００２０】
この異径チーズ１に接続される断熱配管Ｐは、パイプ本体の外表面を断熱材で被覆したものである。パイプ本体は、硬質のポリ塩化ビニル系樹脂材料が用いられ、断熱材は、独立気泡性の塩化ビニル系発泡樹脂材により形成されている。
【００２１】
異径チーズ１の継手本体１０は、左右に主受口１１をそれぞれ備え、主受口１１の中間位置から上方に向かう分岐受口１２を備えたものであって、左右対称的に形成されている。主受口１１に接続される断熱配管Ｐは例えば呼び径３０であり、分岐受口１２に接続される断熱配管Ｐは例えば呼び径２５である。また、図１に示すように、異径チーズ１は、二つの主受口１１及び分岐受口１２の相互間を接続する胴部１３を備えている。主受口１１及び分岐受口１２は、断熱配管Ｐの差口を挿入する部分である。なお、本明細書において、断熱配管Ｐの「差口」とは、管継手の受口に挿入される断熱配管Ｐの先端部をいう。
【００２２】
また、図１に示すように、主受口１１及び分岐受口１２の口底部には、段差状の壁部が形成され、この壁部の中央には断熱配管Ｐの内径と同径の孔部が開口されている。この壁部に開口される孔部は、胴部１３の内部に通ずるものである。また、この段差状に形成された壁部には、断熱板材１４が接着され、断熱板材１４の表面が断熱配管Ｐの差口の端面の当り面を形成している。
【００２３】
胴部１３は、主受口１１及び分岐受口１２の口底部に開口する管状の部材であって、胴部１３内に口底部間を連通する連通路１５が形成されている。連通路１５の内径は、断熱配管Ｐの内径と同等に形成され、それぞれの受口に接続される断熱配管Ｐの内径との間で段差が生じないように構成されている。連通路１５を形成する孔部は、正面から見てＴ字型に連通されている。
【００２４】
胴部１３は、上記のように略一定の肉厚の管状の壁体により連通路１５を有するように構成されている。従って、管状を成す胴部１３の外径は、隣接する受口の外径より小さく形成される。このため、胴部１３の外表面１３ａと各受口の外表面との境界部に、接続すべき断熱配管Ｐの管軸に交差する方向の段差面１６、１７が形成され、受口間に延在する胴部１３の外表面１３ａが凹陥状部に形成されている。
【００２５】
継手本体１０及び断熱配管Ｐの樹脂材料と断熱配管の樹脂材料とは、共にポリ塩化ビニル系樹脂材料により形成されている。そこで、主受口１１及び分岐受口１２に圧入される断熱配管Ｐの差口は、溶剤型接着剤（溶解性接着剤）を使用することにより、主受口１１及び分岐受口１２の内面に対し溶解・膨潤を利用した接着が行われる。また、このような接着が行われることにより、主受口１１及び分岐受口１２の内面と断熱配管Ｐの差口との水密性、及び、主受口１１及び分岐受口１２の内面と断熱配管Ｐの差口との接着保持性が担保されている。なお、主受口１１及び分岐受口１２の内面と断熱配管Ｐの差口との接着保持性とは、主受口１１及び分岐受口１２において断熱配管Ｐががたつくことなく接着されることをいう。
【００２６】
図２に示すように、カバー部材２０は、受口に接続されるべき断熱配管Ｐの管軸を含む平面において前後に二分割されたカバーであって、背面側に位置する第１分割カバー２１と、正面側に位置する第２分割カバー２２とから構成されている。また、第１分割カバー２１の分割端面には接着剤を流入させる凹溝２１ａが形成され、第２分割カバー２２の分割端面には凹溝２１ａに嵌入される突条部２２ａが形成されている。なお、凹溝２１ａに突条部２２ａが嵌入された状態において、突条部２２ａの先端面と凹溝２１ａの底面との間には接着剤を流入させるに足りる隙間が形成されている。そして、第１分割カバー２１と第２分割カバー２２とは、突条部２２ａが凹溝２１ａに陥入された状態で突き合わされ、接着剤により接着されている。
【００２７】
このように構成されたカバー部材２０は、半割状の円筒部がＴ字型に接合された形状である。また、このＴ字型の管軸方向の各端部は、主受口１１及び分岐受口１２の外表面に形成された、接着剤を貯留させる環状凹部１８において、接着剤により主受口１１及び分岐受口１２の外表面に接着されている。また、カバー部材２０は、このように取り付けられることにより、カバー部材２０の内表面２０ａと胴部１３の外表面１３ａとの間に密閉空気層２３を形成するように胴部１３の外表面１３ａを覆っている。
【００２８】
なお、第１分割カバー２１及び第２分割カバー２２は、胴部１３に対する位置決め突部２１ｂ、２２ｂを有する。位置決め突部２１ｂ、２２ｂは、段差面１６、１７の内側に対し凹陥状部内に向けて嵌合状態で差し込まれ、これにより第１分割カバー２１及び第２分割カバー２２の位置決めが行われる。
【００２９】
また、カバー部材２０は、継手本体１０に取り付けられた状態においては、カバー部材２０における管軸方向の左右及び上方の端面の位置が主受口１１又は分岐受口１２の当り面（断熱材１４の表面）と略一致するように構成されている。
【００３０】
このような構成において、カバー部材２０により継手本体１０が覆われた部分は、外側から見たときに、近くからは管継手の内部を透視可能な半透明な、予め設定されている色に見え、遠くからは管継手の内部を透視することのできない不透明な、予め設定されている色に見えるように形成されている。
【００３１】
具体的には、図３に記載されているケースＡのように構成されている。
ケースＡは、予め設定されている色としてアイボリー色が設定されたものである。このアイボリー色は、異径チーズ１に接続される断熱配管Ｐの色と同一であって、異径チーズ１とこれに接続される断熱配管Ｐとを同色に見せようとするように設定された色である。すなわち、ケースＡの異径チーズ１は、カバー部材２０により継手本体１０が覆われた部分を外側近くから見ると、半透明であってアイボリー色に見えるように形成され、また、この部分を外側遠くから見ると、不透明であってアイボリー色に見えるように形成されている。なお、主受口１１及び分岐受口１２におけるカバー部材２０により覆われていない部分は、継手本体１０の色となる。
【００３２】
アイボリー色とは、色の一つであって、淡く黄色がかったやや灰味の白色（クリーム色をさらに薄くしたような色）のことをいう。なお、アイボリー色は、アイボリーホワイト色とも呼ばれる。また、実際に製造する場合の色の指定は、ＪＩＳ  Ｚ８７８１−４：２０１３において採用されているＬａｂ表色系により行われている。具体的には、Ｌ＝７３．５１、ａ＝−０．１１、ｂ＝８．５３である。なお、Ｌａｂ表色系において、Ｌは明度を、ａ、ｂは色相と彩度を示す。ａは赤方向、−ａは緑方向、ｂは黄方向、−ｂは青方向を示している。なお、この色は、マンセル表記では５Ｙ７／１である。
【００３３】
この色を実現するために、継手本体１０は、無色透明の樹脂に顔料を混ぜて、彩度と色相の調整を行うことにより乳白色の半透明とした樹脂により形成されている。具体的には、継手本体１０は、透明樹脂に対し顔料を重量比１対０．５の混合割合として乳白色半透明樹脂とされている。主顔料は、白色顔料であり、これに少量の赤色材料、緑色材料、黄色材料、及び、青色材料を混ぜることにより、所望の乳白色を得ている。
【００３４】
一方、カバー部材２０は、彩度と色相の調整された継手本体１０とカバー部材２０とを組み合わされるときの明度を調整するために、染料を混ぜてスモーク色の半透明とした樹脂により形成されている。具体的には、カバー部材２０は、透明樹脂に対し染料を重量比１対０．５の混合割合としてスモーク色半透明樹脂とされている。
【００３５】
（作用）
次に、本管継手の作用説明として、外側から見るとどのように見えるかについて説明する。
【００３６】
カバー部材２０により継手本体１０が覆われた部分は、内層側の継手本体１０において顔料による光の散乱作用があるが、半透明が得られる程度であるため、異径チーズ１の外側近くから見た場合には胴部１３内を視認することができる。しかしながら、異径チーズ１の外側遠くから見た場合は、継手本体１０及びカバー部材２０がともに半透明樹脂の構成であるため内部を視認することができない。したがって、外側から光を当てて近くから見れば、配管が接続された状態において管継手内の通水の状態を視認することができる。なお、色については、乳白色の継手本体１０をスモーク色半透明のカバー部材２０を通して見ることによりアイボリー色に見える。
【００３７】
ところで、図３におけるケースＣのように、ケースＡの場合とは対象的に、カバー部材２０を顔料を含有させた乳白色半透明樹脂とし、継手本体１０をスモーク色半透明部材とした場合は、顔料による光の散乱作用が表層側に位置するカバー部材２０で発生するため、近くから見ても内部を透視することができない。また、色についても、表層側のカバー部材２０の色を直接見ることになるためアイボリー色とはならず乳白色となる。
【００３８】
次に、主受口１１及び分岐受口１２におけるカバー部材２０により覆われていない部分は、乳白色半透明樹脂からなる継手本体１０のみが存在する部分であるため、近くから内部を透視することができる。したがって、主受口１１及び分岐受口１２における断熱配管Ｐの差口の挿入状態及び接着状態を視認することができる。なお、この部分は、遠くから見ると、継手本体１０に含有される顔料による光の散乱作用により不透明乳白色に見える。
【００３９】
（実施の形態１の効果）
本実施の形態１に係る管継手は、以上のように構成されているので、次のような効果を奏することができる。
【００４０】
（１）断熱配管Ｐを接続した継手本体１０の内部の通水状態を視認することができるので、この管継手を利用した配管系の通水確認作業が容易になる。
（２）管継手の色を断熱配管Ｐの色に合わせる場合、カバー部材２０のスモーク色の調整により、継手本体１０とカバー部材２０との組み合わせ色を調整できる。この場合、断熱配管Ｐを管継手に接続した後であっても、異なる仕様のカバー部材２０を色々試着することにより断熱配管Ｐとの調整を行うことができる。
【００４１】
（実施の形態２）
次に、実施の形態２について、図３におけるケースＢを参照しながら説明する。
実施の形態２に係る管継手は、実施の形態１に係る異径チーズ１と同一の構造であり、継手本体１０及びカバー部材２０は実施の形態１と同様ポリ塩化ビニル樹脂により形成されている。また、実施の形態２は、実施の形態１の場合と同様に、カバー部材２０により継手本体１０が覆われた部分は、外側近くから見ると、半透明であってアイボリー色に見えるように形成され、外側遠くから見ると、不透明であってアイボリー色に見えるように形成するものである。
【００４２】
実施の形態２は、この色を形成するために、継手本体１０とカバー部材２０とが図３のケースＢに示すように形成されている点で、実施の形態１と異なる。
図３のケースＢに示すように、継手本体１０は、無色透明の樹脂に顔料及び染料を混ぜて、彩度、色相、及び明度の調整を行うことによりアイボリー色の半透明とした樹脂により形成されている。顔料や染料は、実施の形態１のものと同様のものを使用してもよい。これに対しカバー部材２０は、無色透明に形成されている。
【００４３】
したがって、異径チーズ１は、カバー部材２０が無色透明樹脂により形成されているため、カバー部材２０により継手本体１０が覆われた部分も、主受口１１及び分岐受口１２におけるカバー部材２０により覆われていない部分も継手本体１０の色で見ることができる。したがって、異径チーズ１は、外側近くから見ると全体的に半透明であってアイボリー色に見え、外側遠くから見ると不透明であってアイボリー色に見える。
【００４４】
（実施の形態２の効果）
実施の形態２に係る異径チーズ１は、以上のように構成されているので、前記（１）と同様の効果を奏することができるとともに、次の効果を奏することができる。
【００４５】
（３）この実施の形態に係る異径チーズ１は、色の変更或いは調整をし直す場合、継手本体１０のみを見直せばよい。
（実施の形態３）
実施の形態３は、実施の形態１に記載した管継手及び同一技術的思想に基づいて形成された他の形式の管継手を、空調システムのドレン配管に適用した例を示すものである。
【００４６】
図４に示すように、実施の形態３に係る空調システムは、事務所ビル等の建物３０に取り付けられるビル用マルチエアコンシステムである。建物屋上に室外ユニット３１が設置され、室外ユニット３１に対し、複数の室内ユニット３２が冷媒配管３３により接続されている。室内ユニット３２は、天井３４に埋め込まれる天井埋め込み型エアコンである。室内外を接続する冷媒配管３３は、各室内ユニット３２から天井裏を経て建物３０のシャフト３５内に集合され、建物３０の屋上に設置されているハト小屋３６から室外ユニット３１へ導かれている。
【００４７】
室内ユニット３２で発生したドレンは、各室内ユニット３２に設置されているドレンポンプ（図示せず）により排出される。各室内ユニット３２からドレンを排出する排出管３７は、実施の形態１に係る異径チーズ１により、天井内に配設されている横走り管３８に接続され、異径チーズ１、エルボ１Ａ等によりシャフト３５内に配設された縦走りの集合配管３９に接続されている。
【００４８】
エルボ１Ａは、実施の形態１に係る異径チーズ１と同一の技術的思想を備えた管継手であり、単に管継手の型式が異なるだけのものである。
図５及び図６は、このエルボ１Ａの詳細を示したものであり、実施の形態１の場合と同様に縦断面図及び分解斜視図を示している。なお、図５及び図６において、実施の形態１と同一の要素には同一の符号を付すことにより、その説明を省略又は簡略化する。
【００４９】
図５及び図６に示すように、エルボ１Ａは、実施の形態１の場合と同様に、継手本体１０の外表面のうち胴部１３の外表面１３ａを覆うカバー部材２０を備え、カバー部材２０の内表面２０ａと胴部１３の外表面１３ａとの間に断熱用の密閉空気層２３を形成したものである。
【００５０】
また、実施の形態１の場合と同様に、継手本体１０は、無色透明の樹脂に顔料を混ぜて、彩度と色相の調整を行った乳白色の半透明樹脂により形成され、カバー部材２０は、彩度と色相の調整された継手本体１０とカバー部材２０とを組み合わされるときの明度を調整するために染料を混ぜて、スモーク色の半透明樹脂に形成されている。これによって、カバー部材２０により継手本体１０が覆われた部分は、近くから見ると、半透明であってアイボリー色に見えるように形成され、遠くから見ると、不透明であってアイボリー色に見えるように形成されている。
【００５１】
（実施の形態３の効果）
実施の形態３に係る空調システムによれば、次の効果を奏することができる。
（４）異径チーズ１、エルボ１Ａ等の管継手内部の通水状態を視認可能とすることができるので、施工工事完了時、或いは、施工後のドレン配管の通水確認作業を容易に行うことができる。
【００５２】
（５）また、断熱配管Ｐの色と管継手の色とを統一させることができるので、デザイン性に優れたシステムを構築することができる。
(変形例）
上記の各実施の形態に関する説明は、本発明に従う管継手が取り得る形態の例示であり、その形態に制限されるものではない。なお、相互に矛盾しない少なくとも二つの変形例を組み合わせた形態としてもよい。
【００５３】
（１）実施の形態１に係る異径チーズ１に適用される技術的思想は、実施の形態３に係る空調システムに利用されているエルボ１Ａに限らず他の形式の管継手に適用することもできる。
【００５４】
図７及び図８に示したソケット１Ｂは、その一例を示す。なお、図７及び図８においても、前記実施の形態３に係るエルボ１Ａを図示する図５及び図６の場合と同様に、実施の形態１と同一の要素には同一の符号を付し、その説明を省略する。
【００５５】
ソケット１Ｂにおける継手本体１０及びカバー部材２０は、実施の形態１の場合と同様の技術的思想に基づき形成されている。すなわち、継手本体１０は、無色透明の樹脂に顔料を混ぜて、彩度と色相の調整を行った乳白色の半透明樹脂により形成されている。また、カバー部材２０は、染料を混ぜてスモーク色の半透明とした樹脂により形成されている。カバー部材２０は、継手本体１０と重ね合わせて見るときの明度の調整機能を有している。
【００５６】
このようにして、この変形例（１）のソケット１Ｂにおいても、カバー部材２０により継手本体１０が覆われた部分は、近くから見ると、半透明であってアイボリー色に見えるように形成され、遠くから見ると、不透明であってアイボリー色に見えるように形成されている。
【００５７】
したがって、この変形例（１）においても、管継手としてのソケット１Ｂの内部の通水状態を視認可能とすることができるので、施工工事完了時、或いは、施工後のドレン配管の通水確認作業を容易に行うことができる。また、主受口１１における断熱配管Ｐの差口の接着状況も視認可能にできる。
【００５８】
（２）前記実施の形態１、実施の形態３及び変形例（１）におけるようにカバー部材２０は受口の外表面の一部を覆う形状に限られるものではなく、受口の略外周全体を覆うようにして、カバー部材２０の外表面における結露をより緩和するようにしてもよい。図９及び図１０に、その一例としてのソケット１Ｃを示す。
【００５９】
ソケット１Ｃは、カバー部材２０と主受口１１の外表面との間に延びる密閉空気層２３を主受口１１の外周側略全域にわたるようにするとともに、カバー部材２０の位置決め部及びカバー部材２０と継手本体１０との接着部を、主受口１１の外表面における入口側の口縁付近に集めている。
【００６０】
このようにするために、継手本体１０は、両主受口１１の口縁に径方向外側に突出する鍔状突部１０１を備えている。また、鍔状突部１０１は、継手本体１０における管軸方向側面部を、管軸と略垂直を成す方向に張り出すように形成されたものである。また、継手本体１０は、左右の両鍔状突部１０１の管軸方向中央側に、主受口１１の外表面から径方向外方に突出する位置決め用の第１係合部１０２が形成されている。この第１係合部１０２は、実施の形態１、実施の形態３及び変形例の（１）における段差面１６に代わり設けられたものであって、鍔状突部１０１の側面に連結されている。
【００６１】
一方、カバー部材２０は、略半割り円筒形状に形成されたものであって、継手本体１０に対し両端の鍔状突部１０１間に収まる寸法に形成されている。また、カバー部材２０の内表面２０ａには、径方向内方に突出する位置決め用の第２係合部１０３が設けられている。
【００６２】
このようにして、カバー部材２０は、第２係合部１０３の側面を、より具体的には第２係合部１０３における主受口１１の入口側の側面を、左右の第１係合部１０２間に嵌合させるように取り付けられている。こうして、カバー部材２０は、胴部１３及び主受口１１との間に、胴部１３から主受口１１に延びる密閉空気層２３を形成するように胴部１３及び主受口１１に対し外側から被さるように構成されている。
【００６３】
そして、継手本体１０及びカバー部材２０は、実施の形態１、実施の形態３及び変形例（１）の場合と同様に形成されている。すなわち、継手本体１０は、無色透明の樹脂に顔料を混ぜて、彩度と色相の調整を行った乳白色の半透明樹脂により形成されている。また、カバー部材２０は、染料を混ぜてスモーク色の半透明とした樹脂により形成されている。このカバー部材２０は、彩度と色相の調整された継手本体１０と重ね合わせて見るときの明度の調整機能を有している。
【００６４】
このように変形例（２）におけるカバー部材２０により継手本体１０が覆われた部分は、前記実施の形態１、実施の形態３及び変形例（１）の場合と同様に、近くから見ると、半透明であってアイボリー色に見えるように形成され、遠くから見ると、不透明であってアイボリー色に見えるように形成されている。
【００６５】
したがって、この変形例（２）においても、管継手としてのソケット１Ｃの内部の通水状態を視認可能とすることができるので、施工工事完了時、或いは、施工後のドレン配管の通水確認作業を容易に行うことができる。また、主受口１１における断熱配管Ｐの差口の接着状況も視認可能になっている。
【００６６】
（３）前記実施の形態３、変形例（１）及び変形例（２）における継手本体１０及びカバー部材２０は、前記実施の形態２と同様に、図３のケースＢに示すように形成してもよい。すなわち、継手本体１０は、無色透明の樹脂に顔料及び染料を混ぜて、彩度、色相、及び明度の調整を行うことによりアイボリー色の半透明樹脂により形成されたものとし、カバー部材２０は、無色透明樹脂により形成されたものとしてもよい。
【００６７】
（４）実施の形態３に示す空調システムのドレン配管において、前述の異径チーズ１、エルボ１Ａ、ソケット１Ｂ及びソケット１Ｃ以外の他の管継手、例えば、各受口が同径のチーズ、異径ソケット、４５°エルボ等を使用してもよい。この場合における他の管継手は、実施の形態１又は実施の形態２に係る技術的思想を備えたものを使用することが好ましい。
【００６８】
（５）前述の実施の形態１〜実施の形態３、及び、変形例（１）〜変形例（４）に係る管継手は、カバー部材２０により継手本体１０が覆われた部分は、近くから見ると、半透明であってアイボリー色に見えるように形成され、遠くから見ると、不透明であってアイボリー色に見えるように形成されているものであった。しかしながら、これら管継手を、アイボリー色でない他の色としてもよいことは勿論である。
【符号の説明】
【００６９】
Ｐ  断熱配管
１  異径チーズ
１Ａ  エルボ
１Ｂ  ソケット
１Ｃ  ソケット
１０  継手本体
１１  主受口
１２  分岐受口
１３  胴部
１３ａ  外表面
１４  断熱板材
１５  連通路
１６  段差面
１７  段差面
１８  環状凹部
２０  カバー部材
２０ａ  内表面
２１  第１分割カバー
２１ａ  凹溝
２１ｂ  位置決め突部
２２  第２分割カバー
２２ａ  突条部
２２ｂ  位置決め突部
２３  密閉空気層
３０  建物
３１  室外ユニット
３２  室内ユニット
３３  冷媒配管
３４  天井
３５  シャフト
３６  ハト小屋
３７  排出管
３８  横走り管
３９  集合配管
１０１  鍔状突部
１０２  第１係合部
１０３  第２係合部
【図１】
2019052716.tif 000003
【図２】
2019052716.tif 000004
【図３】
2019052716.tif 000005
【図４】
2019052716.tif 000006
【図５】
2019052716.tif 000007
【図６】
2019052716.tif 000008
【図７】
2019052716.tif 000009
【図８】
2019052716.tif 000010
【図９】
2019052716.tif 000011
【図１０】
2019052716.tif 000012